(57)【要約】  ウィンドシールド及びシーリングエレメントが提供される。シーリングエレメント（１００）は、ガラス基材（１１０）の端部に固定される支持部（１３１）と、支持部（１３１）と一体化されたシール部（１３２）とを含み、ウィンドシールドの断面から見て、シール部（１３２）は実質的に半円形又は半楕円形の形状を有するように構成されており、支持部（１３１）及びシール部（１３２）がそれらの間に、開口部への取り付け時にシール部（１３２）が変形するのを可能にするための空間を画定している。ウィンドシールドは、ガラス基材（１１０）とシーリングエレメント（１００）とを含んでいる。本開示でもって、ウィンドシールドの作製しにくさを軽減することができる。
2016536196.tif 000002
【特許請求の範囲】
【請求項１】
輸送手段の本体構造によって囲まれた開口部に取り付けるのに適合したウィンドシールドであって、
ガラス基材と、
該ガラス基材の端部に固定された支持部と、該支持部と一体化されたシール部とを含むシーリングエレメントと、
を含んでおり、該ウィンドシールドの断面から見て、該シール部は実質的に半円形又は半楕円形の形状を有するように構成されており、そして該支持部及び該シール部がそれらの間に、該開口部への取り付け時に該シール部が変形するのを可能にするための空間を画定している、ウィンドシールド。
【請求項２】
該ウィンドシールドの断面から見て、前記空間が閉じている、請求項１に記載のウィンドシールド。
【請求項３】
該ウィンドシールドの断面から見て、前記シール部が一方の端部に該シール部の該端部を前記支持部から分離する切り欠きを含み、そして前記空間が開いている、請求項１に記載のウィンドシールド。
【請求項４】
前記開口部への取り付け後に、前記シール部が前記空間が閉じられるように変形する、請求項３に記載のウィンドシールド。
【請求項５】
前記シール部が前記支持部の材料と比べて軟質の材料で作製されている、請求項１に記載のウィンドシールド。
【請求項６】
前記シーリングエレメントがダブル射出成形で作製されている、請求項５に記載のウィンドシールド。
【請求項７】
前記シール部と前記支持部とが同じ材料で作製されており、該シール部の厚さが該支持部の厚さよりも小さい、請求項１に記載のウィンドシールド。
【請求項８】
前記シーリングエレメントが押出成形で作製されている、請求項７に記載のウィンドシールド。
【請求項９】
前記シール部が複数の微小孔を有している、請求項１に記載のウィンドシールド。
【請求項１０】
前記シーリングエレメントが熱可塑性エラストマーを含んでいる、請求項１に記載のウィンドシールド。
【請求項１１】
前記支持部が前記ガラス基材の端部を受容するための溝を有している、請求項１に記載のウィンドシールド。
【請求項１２】
輸送手段の本体構造によって囲まれた開口部に取り付けるのに適合したウィンドシールドと一緒に使用するためのシーリングエレメントであって、該ウィンドシールドはガラス基材を含んでおり、該シーリングエレメントは、
該ガラス基材の端部に固定される支持部と、
該支持部と一体化されたシール部と、
を含んでおり、該ウィンドシールドの断面から見て、該シール部は実質的に半円形又は半楕円形の形状を有するように構成されており、
該支持部及び該シール部がそれらの間に、該開口部への取り付け時に該シール部が変形するのを可能にするための空間を画定している、
シーリングエレメント。
【請求項１３】
前記ウィンドシールドの断面から見て、前記空間が閉じている、請求項１２に記載のシーリングエレメント。
【請求項１４】
前記ウィンドシールドの断面から見て、前記シール部が一方の端部に該シール部の該端部を前記支持部から分離する切り欠きを含んでおり、そして前記空間が開いている、請求項１２に記載のシーリングエレメント。
【請求項１５】
前記開口部への取り付け後に、前記空間が閉じられるように前記シール部が変形する、請求項１４に記載のシーリングエレメント。
【請求項１６】
前記シール部が前記支持部の材料と比べて軟質の材料で作製されている、請求項１２に記載のシーリングエレメント。
【請求項１７】
前記シーリングエレメントがダブル射出成形で作製されている、請求項１６に記載のシーリングエレメント。
【請求項１８】
前記シール部と前記支持部とが同じ材料で作製されており、そして該シール部の厚さが該支持部の厚さよりも小さい、請求項１２に記載のシーリングエレメント。
【請求項１９】
前記シーリングエレメントが押出成形で作製されている、請求項１８に記載のシーリングエレメント。
【請求項２０】
前記シール部が複数の微小孔を有している、請求項１２に記載のシーリングエレメント。
【発明の詳細な説明】
【技術分野】
【０００１】
関連出願の相互参照
本出願は、２０１３年１０月３０日提出の「ウィンドシールド及びシーリングエレメント」という発明の名称の中国特許出願第２０１３１０５２６４８１．５号の優先権を主張し、その開示内容全体を参照によりここに組み入れるものである。
【０００２】
本開示は、一般的に言えば輸送手段の分野、さらに具体的にはウィンドシールド及びシーリングエレメントに関する。
【背景技術】
【０００３】
良好なシーリング効果を得るために、ウィンドシールドは輸送手段の本体構造とうまく合わせて、ウィンドシールドと輸送手段の本体構造とを一緒に固定し得るようにしなければならない。
【０００４】
ウィンドシールドは一般に、ガラス基材と、輸送手段の本体構造とガラス基材との間に配置されたシーリングエレメントとを含む。シーリングエレメントは、ガラス基材を輸送手段の本体構造にうまく固定することができるように、輸送手段の本体構造がガラス基材をより良好に受け入れるのを可能にする。
【０００５】
中国特許第１４５２５６８号明細書には、「窓ガラスを窓の開口部に取り付けるための異形ビードを含む窓ガラスの利用」が開示されている。図１に、上記中国特許明細書に開示された窓ガラスの一例を示す。具体的には、窓ガラスは、輸送手段の本体構造の開口部１４に固定されたガラス基材１２を含むウィンドシールドでよい。この窓ガラスはさらに、輸送手段の本体構造にガラス基材１２を取り付けるためガラス基材１２の主面に固定された異形ビード１３を含む。ガラス基材１２の主面は、ガラス基材１２を取り付ける際に輸送手段の内部の方を向いている。異形ビード１３は、窓ガラスの端部から突出する変形可能なリップ１６を含んでいる。ガラス基材１２を輸送手段の開口部１４に固定後に、変形可能なリップ１６は開口部１４のシートメタルに対して抵抗し、ひいては湾曲するようになり、これにより窓ガラスと輸送手段の本体構造とのすき間をシールする。
【０００６】
既存の技術には、図１に示した変形可能なリップ１６以外に、輸送手段用の窓をシールするために使用される様々な他のシーリングエレメントが存在する。
【発明の概要】
【発明が解決しようとする課題】
【０００７】
しかしながら、輸送手段の技術開発及びより良好な生活の質への要求の高まりに伴って、輸送手段の窓のために使用されるシーリングエレメントに対してより多くの要求、例えば容易な取り付け、美しい外観、風切音の軽減、及び汚れの低減などがなされている。
【課題を解決するための手段】
【０００８】
本開示の実施形態は、より容易に製造することが可能な、ウィンドシールド及びシーリングエレメントを提供する。
【０００９】
１つの態様において、輸送手段の本体構造に囲まれた開口部に取り付けるのに適合したウィンドシールドが提供される。このウィンドシールドは、ガラス基材とシーリングエレメントとを含み、シーリングエレメントは、ガラス基材の端部に固定された支持部及びこの支持部と一体化したシール部を含んでおり、ウィンドシールドの断面から見て、シール部は実質的に半円形又は半楕円形の形状を有するように構成されており、そして支持部とシール部とがそれらの間に、開口部へ取り付けるときにシール部が変形するのを可能にするための空間を画定している。
【００１０】
基本原理は、ウィンドシールドを開口部に取り付けるときに、支持部とシール部とによって画定された空間が変形を受けることができることにある。この空間がウィンドシールドについての取り付け許容差をもたらすので、ガラス基材の形状と輸送手段の本体構造の形状との厳密な一致、及びガラス基材の寸法と輸送手段の寸法との厳密な一致はもはや不要とすることができ、このことがさらにウィンドシールドの製作しにくさを軽減する。
【００１１】
さらに、ウィンドシールドの断面から見て、シール部は実質的に半円形又は半楕円形の形状を有するように構成されていて、これがウィンドシールドを開口部に取り付けるときの力をシーリングエレメントが均一に受けるのを可能にするとともに、ウィンドシールドを取り付ける際の位置合わせをさらに向上させる。
【００１２】
さらに、図１のシーリング構造と比較すると、一実施形態において、シール部の輸送手段の外部に面する表面をシートメタルの表面とそろえることができる。この構成によってもたらされる利点には、ウィンドシールドとシートメタルとのすき間をより良好にシールすることができる、これにより風切音を低減することができ、また雨水又は汚れがたまる空間をなくすことができる、というものを含めることができる。加えて、構造全体の外観を改善することができる。
【００１３】
別の態様において、ウィンドシールドと一緒に使用するためのシーリングエレメントが提供される。ウィンドシールドは、輸送手段の本体構造によって囲まれた開口部に取り付けるのに適合しており、ガラス基材を含んでいる。シーリングエレメントは、ガラス基材の端部に固定された支持部と、支持部と一体化されたシール部とを含み、ウィンドシールドの断面から見て、シール部は実質的に半円形又は半楕円形の形状を有するように構成されており、支持部とシール部とがそれらの間に、開口部への取り付け時にシール部が変形するのを可能にするための空間を画定している。
【００１４】
基本原理は、ウィンドシールドを開口部に取り付けるときに、支持部とシール部とによって画定された空間が変形を受けることができることにある。この空間がウィンドシールドについての取り付け許容差をもたらすので、ガラス基材の形状と輸送手段の本体構造の形状との厳密な一致、及びガラス基材の寸法と輸送手段の寸法との厳密な一致はもはや不要とすることができ、このことがさらにウィンドシールドの製作しにくさを軽減する。
【００１５】
さらに、ウィンドシールドの断面から見て、シール部は実質的に半円形又は半楕円形の形状を有するように構成されていて、これがウィンドシールドを開口部に取り付けるときの力をシーリングエレメントが均一に受けるのを可能にするとともに、ウィンドシールドを取り付ける際の位置合わせをさらに向上させる。
【００１６】
さらに、図１のシール構造と比較すると、一実施形態において、シール部の輸送手段の外部に面する表面をシートメタルの表面とそろえることができる。この構成によってもたらされる利点には、ウィンドシールドとシートメタルとのすき間をより良好にシールすることができる、これにより風切音を低減することができ、また雨水又は汚れがたまる空間をなくすことができる、というものを含めることができる。加えて、構造全体の外観を改善することができる。
【図面の簡単な説明】
【００１７】
【図１】既存技術の窓ガラスを説明する模式図である。
【図２】本開示の一実施形態によるウィンドシールドを説明する模式図である。
【図３】取り付け前の図２に示したウィンドシールドに含まれるシーリングエレメントの第１の例を説明する模式図である。
【図４】図３に示したシーリングエレメントの取り付け後を説明する模式図である。
【図５】取り付け前の図２に示したウィンドシールドに含まれるシーリングエレメントの第２の例を説明する模式図である。
【図６】図５に示したシーリングエレメントの取り付け後を説明する模式図である。
【図７】取り付け前の図２に示したウィンドシールドに含まれるシーリングエレメントの第３の例を説明する模式図である。
【発明を実施するための形態】
【００１８】
本開示の上記の目的、特徴、及び利点は、添付の図面とともに以下の説明を参照することによってよりよく理解することができる。
【００１９】
一実施形態において、ウィンドシールドが提供される。図２は、本開示の一実施形態によるウィンドシールドの模式図であり、図３は、取り付け前の図２に示したウィンドシールドに含まれるシーリングエレメントの第１の例の模式図であり、そして図４は、図３に示したシーリングエレメントの取り付け後の模式図である。なお、図２〜４はウィンドシールドの断面に沿っての模式図である。
【００２０】
図２〜４を参照すると、この実施形態では、ウィンドシールドは輸送手段の本体構造に囲まれた開口部に取り付けられる。具体的には、開口部は輸送手段の本体構造のシートメタル１２０によって囲まれており、そしてウィンドシールドがシートメタル１２０に取り付けられている。この実施形態では、ウィンドシールドはガラス基材１１０とシーリングエレメント１００とを含んでいる。
【００２１】
ガラス基材１１０の形状及び寸法は、シートメタル１２０によって囲まれた開口部と一致している。一部の実施形態では、ガラス基材１１０の形状は丸い角を有する台形でもよい。
【００２２】
一部の実施形態では、ガラス基材１１０は強化ガラス又は半強化ガラスでよい。一部の実施形態では、ガラス基材１１０は積層ガラス又は単層ガラスでよい。ガラス基材１１０の材料及び構造はここでは限定されない。
【００２３】
シーリングエレメント１００はガラス基材１１０の端部に配置され、そしてウィンドシールドを開口部に取り付けるときにガラス基材１１０とシートメタル１２０とのすき間をシールするのに適合している。一部の実施形態では、シーリングエレメント１００はガラス基材１１０の端部を取り囲むシーリングストリップでよいが、それはここでは限定されない。
【００２４】
図３及び４を参照すると、シーリングエレメント１００は支持部１３１とシール部１３２とを含んでいる。
【００２５】
支持部１３１はガラス基材１１０の端部に固定されており、そしてシーリングエレメント１００とガラス基材１１０とを固定するのに適合している。
【００２６】
この実施形態では、支持部１３１は、ガラス基材１１０の方を向いた側に溝を含んでいる。溝は、ガラス基材１１０の端部を受容するのに適合している。一部の実施形態では、溝内に第１の接着フィルム（図示せず）を形成してもよく、そしてこの第１の接着層を介して支持部１３１をガラス基材１１０の端部に固定することができる。
【００２７】
シール部１３２は、支持部１３１と一体化されている。ウィンドシールドの断面から見て、シール部１３２は実質的に半円形又は半楕円形の形状を有するように構成されている。ウィンドシールドの断面から見るとは、ウィンドシールドに対して垂直な平面における構造の断面を見ることを意味する。ウィンドシールドを開口部に取り付けると、シール部１３２はシートメタル１２０と向かい合う。シール部１３２の形状の結果として、それはその湾曲面でシートメタル１２０と接触することにより、ガラス基材１１０とシートメタル１２０とのすき間をシールすることができる。
【００２８】
一部の実施形態では、ウィンドシールドの断面から見て、シール部１３２は実質的に半円形又は半楕円形の形状を有するように構成されており、これが、ウィンドシールドを開口部に取り付けるときの力をシーリングエレメント１３２が均一に受けるのを可能にするとともに、さらにウィンドシールドの取り付け時の位置合わせを向上させる。
【００２９】
一部の実施形態では、シール部１３２を支持部１３１の材料と比べて軟質の材料で作製することができ、そのためシール部１３２の柔軟性が支持部１３１のそれよりも高くなる。シートメタル１２０と接触するときに、シール部１３２は変形しやすく、これによりガラス基材１１０とシートメタル１２０とのすき間をシールする。一部の実施形態では、シール部１３２は熱可塑性エラストマーを含むことができ、支持部１３１はポリ塩化ビニルを含むことができる。
【００３０】
図１を参照すると、既存技術における変形可能なリップ１６が湾曲すると、変形可能なリップ１６によって囲まれた溝が形成される。上記実施形態では、シーリングエレメント１００を使用することによって、ガラス基材１１０とシートメタル１２０との間に溝が形成されることはない。従って、溝によって引き起こされる風切音を回避することができ、また雨水のような汚れを受容する空間は残されない。
【００３１】
一部の実施形態では、シーリングエレメント１００はダブル射出成形によって作製することができる。一部の実施形態において、ダブル射出成形は、シーリングエレメント１００を形成するための金型キャビティ内にシール部１３２を形成するように第１の熱可塑性材料を射出し、次いで支持部１３１を形成するため金型キャビティ内に第２の熱可塑性材料を射出することを含むことができ、ここでは、第１の熱可塑性材料は相対的に大きな柔軟性を有するのに対して、第２の熱可塑性材料は相対的に小さな柔軟性を有する。
【００３２】
シール部１３２及び支持部１３１の材料及び形成方法は上記実施形態に限定されない。
【００３３】
一部の実施形態では、シール部１３２と支持部１３１を同じ材料で作製してもよく、そしてシール部１３２の柔軟性を支持部１３１のそれよりも大きくするため、シール部１３２を厚さが支持部１３１の厚さよりも小さくなるように構成することができる。シール部１３２は、シートメタル１２０と接触すると変形しやすく、これによりガラス基材１１０とシートメタル１２０とのすき間をシールする。
【００３４】
一部の実施形態では、シール部１３２と支持部１３１の両方が熱可塑性エラストマーを含んでよく、これにより材料の種類の数及び材料のコストが低減される。一部の実施形態では、シーリングエレメント１００を押出成形で作製してもよい。
【００３５】
一部の実施形態では、ウィンドシールドはさらに、シール部１３２の外面に形成された第２の接着フィルム（図示せず）を含んでもよい。第２の接着フィルムは、シール部１３２をシートメタル１２０に接着するのに適合している。一部の実施形態では、第２の接着フィルムは形成しなくてよい。
【００３６】
図３及び４を参照すると、支持部１３１及びシール部１３２はそれらの間に、ウィンドシールドを開口部に取り付けるときにシール部１３２が変形するのを可能にするための空間１３３を画定している。
【００３７】
図３に示した取り付け前の空間１３３と比較して、図４に示した取り付け後の空間１３３は、ガラス基材１１０の延在方向に沿って小さな寸法を有する。それというのも、空間１３３は、ウィンドシールドを開口部に取り付けるときにシートメタル１２０によって締めつけられることにより生じるシール部１３２の変形を受容するのに適合しているからである。
【００３８】
一部の実施形態では、シール部１３２はシートメタル１２０と接触するときに変形することができる。空間１３３が、シール部１３２の変形に充分な変形空間を提供し、これによりウィンドシールドについての取り付け許容差をもたらす。
【００３９】
一部の実施形態では、ガラス基材１１０の寸法又は形状が開口部の寸法又は形状と正確に一致しなくても、空間１３３によってもたらされる変形空間が、ガラス基材１１０とシートメタル１２０とのすき間をシーリングエレメント１００がシールするのを可能にし、これによりウィンドシールドをシールすることができる。
【００４０】
従って、既存の技術と比較して、製作過程中のガラス基材１１０の寸法又は形状の精度に対する要件はさほど厳密でなくてよく、これにより、ガラス基材１１０の製作プロセスが単純化され、そしてさらにウィンドシールドの製作プロセスも単純化される。
【００４１】
さらに、既存の技術と比較して、空間１３３が取り付け許容差をもたらすので、シートメタル１２０によって囲まれた開口部にウィンドシールドを取り付けるのがより容易になる。つまり、ウィンドシールドの取り付けがより簡単になる。
【００４２】
この実施形態では、ウィンドシールドの断面から見て、空間１３３は閉じている。閉じた空間１３３は、シール部１３２が変形したときに比較的大きい支持力を有するのを可能にすることができ、従ってウィンドシールドを開口部に取り付けるときにシール部１３２が過剰に変形するのを回避することができる。
【００４３】
上記実施形態では、ガラス基材１１０とシートメタル１２０とのすき間が変形したシール部１３２によってシールされ、これによりウィンドシールドの良好なシール効果が得られる、ということに注目すべきである。
【００４４】
さらに、遮音効果を考察すると、輸送手段の外部から内部へ伝わる騒音が二層構造によって、すなわちシール部１３２の外側に面する半分と、シール部１３２の内側に面する別の半分とによって遮断される。そして２層間の空間、すなわち空間１３３は空気で満たされ、これにより遮音効果がさらに改善される。
【００４５】
従って、シーリングエレメント１００は良好なシール効果を保証するだけでなく、良好な遮音効果をももたらす。すなわち、この実施形態におけるウィンドシールドは騒音を低減することができる。
【００４６】
上記実施形態では、支持部１３１は第１の接着フィルムを介してガラス基材１１０の端部に固定される。支持部１３１をガラス基材１１０に固定する方法は上記実施形態に限定されないことに留意されたい。一部の実施形態では、支持部１３１を射出成形によってガラス基材１１０の端部に直接形成してもよい。一部の実施形態では、支持部１３１は、ガラス基材１１０に面する側にスロットを含み、そしてこのスロットを使用して機械的に締め付ける方法でガラス基材１１０の端部に固定される。一部の実施形態では、スロットは、２つの面がガラス基材１１０の端部と接触するＬ字形のスロットでもよく、或いは３つの面がガラス基材１１０の端部と接触するＵ字形のスロットであってもよい。
【００４７】
図５は、取り付け前の図２に示したウィンドシールドに含まれるシーリングエレメントの第２の例を説明する模式図であり、図６は、取り付け後の図５に示したシーリングエレメントを説明する模式図である。第１の例と第２の例の同様の構成はここでは説明せず、以下ではそれらの違いを説明する。
【００４８】
図５及び６を参照すると、ウィンドシールドの断面から見て、シール部２３２は一方の端部に切り欠きを含み、これがシール部２３２の一方の端部を支持部２３１から分離していて、そして支持部２３１とシール部２３２との間に画定された空間２３３は開いている。
【００４９】
この切り欠きのために、シール部２３２は実質的にカンチレバー構造として構成されている。図３のシール部１３２と比較して、シール部２３２はより大きな柔軟性を有することができ、ひいてはより容易に変形することができる。
【００５０】
さらに、切り欠きには材料が必要でなく、それゆえシーリングエレメント２００の材料消費量が低減され、つまり材料コストが低減される。
【００５１】
図６を参照すると、この実施形態では、ウィンドシールドをシートメタル２２０によって囲まれた開口部に取り付けるときに、シール部２３２はシートメタル２２０と接触して変形するので、シール部２３２の切り欠きが形成された端部は支持部２３１と接触する。すなわち、ウィンドシールドをシートメタル２２０によって囲まれた開口部に取り付けるときにシール部２３２が変形するため、空間２３３が閉じられる。
【００５２】
本開示の実施形態は、先に説明したものに限定されない。ウィンドシールドを開口部に取り付けるときに、シール部２３２の変形が比較的小さい場合には、シール部２３２の切り欠きが形成された端部は支持部２３１と接触しなくてもよく、すなわち空間２３３は開いたままである。
【００５３】
図６を参照すると、ウィンドシールドを開口部に取り付けた後に、切り欠きはシール部の輸送手段内部に隣接する端部に位置する。これにより、雨水が切り欠きを通って空間２３３内に入るのを防止して、シーリングエレメント２００の耐用寿命を確保することができる。なお、切り欠きの位置は上で説明したものに限定されない。一部の実施形態では、切り欠きは、シール部の輸送手段外部に隣接する端部に位置してもよい。
【００５４】
図７は、取り付け前の図２に示したウィンドシールドに含まれるシーリングエレメントの第３の例を説明する模式図である。第１の例と第３の例の同様の構成はここでは説明せず、以下ではそれらの違いを説明する。
【００５５】
図７を参照すると、シール部３３２は複数の微小孔を有している。従って、シール部３３２は支持部３３１よりも軟質であることができ、つまりシール部３３２は支持部３３１よりも大きな柔軟性を有し、ひいてはより容易に変形することができる。
【００５６】
加えて、シーリングエレメント３００は微小孔のために比較的軽量であることができ、これによりウィンドシールドの重量が低減される。
【００５７】
一部の実施形態では、シーリングエレメント３００は、支持部３３１を形成するための第１の射出成形工程と、シール部３３２を形成するための第２の射出成形工程とを含むダブル射出成形によって作製することができる。第２の射出成形工程の際に、微小発泡技術を用いてシール部３３２に複数の微小孔を生じさせるように、射出時に使用する溶液中にガスを注入することができる。複数の微小孔を形成する方法は、上記実施形態には限定されない。一部の実施形態では、複数の微小孔を他の方法で形成することができる。
【００５８】
微小孔が大きすぎる場合、シール部３３２の表面に開放した微小孔が形成されることがあり、これはシーリングエレメント３００の外観に影響を与える、ということに留意すべきである。微小孔が小さすぎる場合、シール部３３２は充分に軟質でなく、その結果取り付け許容差が不十分になることがある。一部の実施形態において、微小孔の直径は０．０１ｍｍ〜１ｍｍ、例えば０．０１ｍｍ、０．１ｍｍ、０．５ｍｍ、０．８ｍｍ、又は１ｍｍでよい。
【００５９】
以上のことに相応して、一実施形態では、輸送手段の本体構造によって囲まれた開口部に取り付けるのに適合したウィンドシールドと一緒に使用するためのシーリングエレメントが提供される。ウィンドシールドはガラス基材を含む。シーリングエレメントは、ガラス基材の端部に固定される支持部と、支持部と一体化されたシール部とを含み、ウィンドシールドの断面から見て、シール部は実質的に半円形又は半楕円形の形状を有するように構成されており、支持部及びシール部はそれらの間に、開口部への取り付け時にシール部が変形するのを可能にするための空間を画定している。
【００６０】
シーリングエレメントの構造及び材料に関する詳細な情報は、ウィンドシールドの実施形態についての上記の説明中に見いだすことができ、ここで詳述することはしない。
【００６１】
本開示の実施形態から、シーリングエレメントはウィンドシールドのための取り付け許容差をもたらして、これによりウィンドシールドの製作しにくさを軽減することができる。加えて、シーリングエレメントは、輸送手段の本体構造によって囲まれた開口部にウィンドシールドを取り付けるときの位置合わせを向上させることができる。
【００６２】
本開示の実施形態から、シール部の輸送手段の外部に面する表面をシートメタルの表面とそろえることができる。従って、輸送手段の外観をよりよくすることができ、風切音を低減することができ、また雨水又は汚れをためる空間をなくすことができる。
【００６３】
本開示はその好ましい実施形態を参照して開示されてはいるものの、本開示は一例としてのみ提示しているのであって、限定するものではないことを理解すべきである。当業者は、これらの実施形態を本開示の精神と範囲から逸脱することなく改変及び変更することができる。従って、本開示の保護範囲は特許請求の範囲に規定した範囲を対象とするものである。
【図１】
2016536196.tif 000003
【図２】
2016536196.tif 000004
【図３】
2016536196.tif 000005
【図４】
2016536196.tif 000006
【図５】
2016536196.tif 000007
【図６】
2016536196.tif 000008
【図７】
2016536196.tif 000009
【国際調査報告】
2016536196.tif 000010
2016536196.tif 000011